(57)【特許請求の範囲】
【請求項１】
クラウン部と、
フェース部と、
ソール部と、
を備え、
トゥ−ヒール方向の中心付近からヒール側またはトゥ側に重心が配置され、
前記クラウン部は、
少なくとも、前記フェース部との境界に沿って前記トゥ側からヒール側に延びる箇所に設けられた厚肉領域と、
前記厚肉領域よりもバック側に配置され、当該厚肉領域よりも肉厚が小さい、複数の薄肉領域と、
を備え、
前記各薄肉領域のフェース側の端部は、トゥ−ヒール方向に延びる直線状の辺を含み、
前記厚肉領域の前記境界からのフェース−バック方向の長さは、
前記重心が前記トゥ−ヒール方向の中心付近から前記ヒール側に配置される場合、前記トゥ側から前記ヒール側にいくにしたがって長くなり、
前記重心が前記トゥ−ヒール方向の中心付近から前記トゥ側に配置される場合、前記トゥ側から前記ヒール側にいくにしたがって短くなる、ゴルフクラブヘッド。
【請求項２】
前記トゥ−ヒール方向の中心付近から前記ヒール側に前記重心が配置され、
前記トゥ側に配置されている前記薄肉領域と前記境界との距離は、前記ヒール側に配置されている前記薄肉領域と前記境界との距離よりも短い、請求項１に記載のゴルフクラブヘッド。
【請求項３】
前記トゥ−ヒール方向の中心付近から前記トゥ側に前記重心が配置され、
前記トゥ側に配置されている前記薄肉領域と前記境界との距離は、前記ヒール側に配置されている前記薄肉領域と前記境界との距離よりも長い、請求項１に記載のゴルフクラブヘッド。
【請求項４】
クラウン部と、
フェース部と、
ソール部と、
を備え、
トゥ−ヒール方向の中心付近からヒール側に重心が配置され、
前記クラウン部は、
少なくとも、前記フェース部との境界に沿って前記トゥ側からヒール側に延びる箇所に設けられた厚肉領域と、
前記厚肉領域よりもバック側に配置され、当該厚肉領域よりも肉厚が小さい、複数の薄肉領域と、
を備え、
前記複数の薄肉領域の肉厚は相違し、前記トゥ側から前記ヒール側にいくにしたがって変化し、
前記トゥ側に配置されている前記薄肉領域の肉厚は、前記ヒール側に配置されている前記薄肉領域の肉厚よりも小さい、ゴルフクラブヘッド。
【請求項５】
クラウン部と、
フェース部と、
ソール部と、
を備え、
トゥ−ヒール方向の中心付近からトゥ側に重心が配置され、
前記クラウン部は、
少なくとも、前記フェース部との境界に沿って前記トゥ側からヒール側に延びる箇所に設けられた厚肉領域と、
前記厚肉領域よりもバック側に配置され、当該厚肉領域よりも肉厚が小さい、複数の薄肉領域と、
を備え、
前記複数の薄肉領域の肉厚は相違し、前記トゥ側から前記ヒール側にいくにしたがって変化し、
前記トゥ側に配置されている前記薄肉領域の肉厚は、前記ヒール側に配置されている前記薄肉領域の肉厚よりも大きい、ゴルフクラブヘッド。
【発明の詳細な説明】
【技術分野】
【０００１】
本発明は、ゴルフクラブヘッドに関する。
【背景技術】
【０００２】
ウッド型のゴルフクラブのヘッドは、従来から、多くの改良がなされてきており、特に、クラウン部の軽量化については種々の提案がなされている。例えば、特許文献１に開示されたゴルフクラブヘッドでは、クラウン部に肉厚の小さい複数の領域を形成し、これによってクラウン部の軽量化を図っている。
【先行技術文献】
【特許文献】
【０００３】
【特許文献１】特開２００５−３１２９４２号公報
【発明の概要】
【発明が解決しようとする課題】
【０００４】
ところで、重心の近傍は反発が最も高くなる傾向にあるため、クラウン部において、重心が投影される箇所（以下、重心箇所という）の近傍の肉厚を小さくすると、反発性能が大きくなりすぎ、ルールに違反するおそれがある。また、重心の位置は、対象となるユーザによって変更することがあり、一般的には、重心箇所から離れると、反発が低下する傾向にある。
【０００５】
本発明は、上記問題を解決するためになされたものであり、重心箇所がいずれの位置にあっても、当該重心箇所での反発性能を抑制しつつ、重心箇所から離れた箇所での反発性能を向上することができる、ゴルフクラブヘッドを提供することを目的とする。
【課題を解決するための手段】
【０００６】
本発明に係る第１のゴルフクラブヘッドは、クラウン部と、フェース部と、ソール部と、を備え、前記クラウン部は、当該クラウン部と前記フェース部との境界からバック側へ所定の長さの範囲においては、トゥ側からヒール側にいくにしたがって、平均肉厚が変化するように形成されている。
【０００７】
上記ゴルフクラブヘッドにおいて、前記クラウン部は、少なくとも、前記フェース部との境界に沿って前記トゥ側からヒール側に延びる箇所に設けられた厚肉領域と、前記厚肉領域よりもバック側に配置され、当該厚肉領域よりも肉厚が小さい、少なくとも１つの薄肉領域と、を備え、前記厚肉領域の前記境界からのフェース−バック方向の長さは、トゥ側からヒール側にいくにしたがって変化するものとすることができる。
【０００８】
上記ゴルフクラブヘッドにおいて、前記トゥ側からヒール側に並ぶ複数の前記薄肉領域を備えており、前記各薄肉領域と前記境界との距離が、相違しているものとすることができる。
【０００９】
上記ゴルフクラブヘッドにおいて、前記トゥ側に配置されている前記薄肉領域と前記境界との距離は、前記ヒール側に配置されている前記薄肉領域と前記境界との距離よりも短くすることができる。
【００１０】
あるいは、前記トゥ側に配置されている前記薄肉領域と前記境界との距離は、前記ヒール側に配置されている前記薄肉領域と前記境界との距離よりも長くすることができる。
【００１１】
上記ゴルフクラブヘッドにおいて、前記クラウン部は、少なくとも、前記フェース部との境界に沿って前記トゥ側からヒール側に延びる箇所に設けられた厚肉領域と、前記厚肉領域よりもバック側に配置され、当該厚肉領域よりも肉厚が小さい、少なくとも１つの薄肉領域と、を備え、前記薄肉領域の肉厚は、前記トゥ側から前記ヒール側にいくにしたがって変化するものとすることができる。
【００１２】
上記ゴルフクラブヘッドにおいて、前記トゥ側からヒール側に並ぶ複数の前記薄肉領域を備えており、前記各薄肉領域の肉厚が相違している。
【００１３】
上記ゴルフクラブヘッドにおいて、前記トゥ側に配置されている前記薄肉領域の肉厚は、前記ヒール側に配置されている前記薄肉領域の肉厚よりも小さくすることができる。
【００１４】
あるいは、前記トゥ側に配置されている前記薄肉領域の肉厚は、前記ヒール側に配置されている前記薄肉領域の肉厚よりも大きくすることができる。
【００１５】
本発明に係る第２のゴルフクラブヘッドは、
クラウン部と、
フェース部と、
ソール部と、
を備え、
前記クラウン部は、
少なくとも、前記フェース部との境界に沿って前記トゥ側からヒール側に延びる箇所に設けられた厚肉領域と、
前記厚肉領域よりもバック側に配置され、当該厚肉領域よりも肉厚が小さい、少なくとも１つの薄肉領域と、
を備え、
前記厚肉領域の前記境界からのフェース−バック方向の長さは、トゥ側からヒール側にいくにしたがって変化する、ゴルフクラブヘッド。
【００１６】
本発明に係る第３のゴルフクラブヘッドは、
クラウン部と、
フェース部と、
ソール部と、
を備え、
前記クラウン部は、
少なくとも、前記フェース部との境界に沿って前記トゥ側からヒール側に延びる箇所に設けられた厚肉領域と、
前記厚肉領域よりもバック側に配置され、当該厚肉領域よりも肉厚が小さい、少なくとも１つの薄肉領域と、
を備え、
前記薄肉領域の肉厚は、前記トゥ側から前記ヒール側にいくにしたがって変化する、ゴルフクラブヘッド。
【発明の効果】
【００１７】
本発明によれば、クラウン部において、境界からバック側へ向かう所定の長さの範囲において、肉厚の平均を変化させている。そのため、例えば、重心から離れた箇所では一般的に反発性能が低下するところ、重心から離れた箇所での肉厚の平均を小さくすることで、当該箇所での反発性能を向上することができる。一方、重心が位置する箇所において平均の肉厚を大きくして、重心の周囲での反発性能が向上するのを抑制することができるため、ルールを遵守することができる。よって、トゥ側からヒール側に亘る、フェース部全体として、反発性能を向上することができる。
【図面の簡単な説明】
【００１８】
【図１】本実施形態に係るゴルフクラブヘッドの基準状態の斜視図である。
【図２】図１の平面図である。
【図３】フェース部の境界を説明する図である。
【図４】第１実施形態に係るゴルフクラブヘッドの組立を示す斜視図である。
【図５】第１実施形態に係るゴルフクラブヘッドの平面図である。
【図６】第１実施形態に係るゴルフクラブヘッドの他の例を示す平面図である。
【図７】第１実施形態に係るゴルフクラブヘッドの他の例を示す平面図である。
【図８】第２実施形態に係るゴルフクラブヘッドを示す平面図である。
【発明を実施するための形態】
【００１９】
Ａ．第１実施形態
以下、本発明に係るゴルフクラブヘッドの第１実施形態について、図面を参照しつつ説明する。
＜１．ゴルフクラブヘッドの概要＞
図１に示すように、本実施形態に係るゴルフクラブヘッド（以下、単に「ヘッド」ということがある）は、中空構造であり、フェース部１、クラウン部２、ソール部３、サイド部４、及びホーゼル部５によって壁面が形成されている。
【００２０】
フェース部１は、ボールを打撃する面であるフェース面を有しており、クラウン部２はフェース部１と隣接し、ヘッドの上面を構成する。ソール部３は、ヘッドの底面を構成し、フェース部１及びサイド部４と隣接する。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。ここで説明するヘッドは、ドライバー（＃１）又はフェアウェイウッドといったウッド型であるが、そのタイプは限定されず、いわゆるユーティリティ型及びハイブリッド型等であってもよい。
【００２１】
ここで、上述した基準状態について説明する。まず、図１及び図２に示すように、上記中心軸線Ｚが水平面に対して垂直な平面Ｐ１に含まれ、且つ所定のライ角及びリアルロフト角で水平面上にヘッドが載置された状態を基準状態と規定する。そして、上記平面Ｐ１を基準垂直面Ｐ１と称する。また、図２に示すように、上記基準垂直面Ｐ１と上記水平面との交線の方向をトウ−ヒール方向と称し、このトウ−ヒール方向に対して垂直であり且つ上記水平面に対して平行な方向をフェース−バック方向と称することとする。
【００２２】
本実施形態において、クラウン部２とサイド部４との境界は次のように定義することができる。すなわち、クラウン部２とサイド部４との間に稜線が形成されている場合には、これが境界となる。これに対して、明確な稜線が形成されていない場合には、ヘッドを基準状態に設置し、これをヘッドの重心の真上から見たときの輪郭が境界となる。また、フェース部１とクラウン部２、ソール部３との境界についても、同様であり、稜線が形成されている場合には、これが境界となる。一方、明確な稜線が形成されていない場合には、図３（ａ）に示されるように、ヘッド重心ＧとスイートスポットＳＳとを結ぶ直線Ｎを含む各断面Ｅ１、Ｅ２、Ｅ３…において、図３（ｂ）に示されるように、フェース外面輪郭線Ｌｆの曲率半径ｒがスイートスポット側からフェース外側に向かって初めて２００ｍｍとなる位置Ｐｅがフェース部１の周縁（境界）として定義される。なお、スイートスポットＳＳとは、ヘッド重心Ｇを通るフェース面の法線（直線Ｎ）とこのフェース面との交点である。
【００２３】
また、本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るゴルフクラブヘッドでは、サイド部４を有しているが、例えば、サイド部を有さなかったり、サイド部４が明確に判別できずソール部３に含まれており、ソール部３がクラウン部２と直接連結されているような場合には、ソール部３とクラウン部２との間の稜線が、両者の境界となる。また、明確な稜線が形成されていない場合には、ヘッドを基準状態に設置し、これをヘッドの重心の真上から見たときの輪郭が境界となる。
【００２４】
このゴルフクラブヘッドの体積は、例えば、３００ｃｍ3以上であることが好ましく、４００ｃｍ3以上であることがさらに好ましく、４２０ｃｍ3以上であることが特に好ましい。このような体積を有するヘッドは、構えた際の安心感が増し、かつ、スイートエリア及び慣性モーメントを増大させるのに役立つ。なお、ヘッド体積の上限は特に定めないが、実用上、例えば５００ｃｍ3以下が望ましく、またＲ＆ＡやＵＳＧＡのルール規制に従う場合には４７０ｃｍ3以下が望ましい。
【００２５】
また、ヘッドは、例えば、比重がほぼ４．４〜４．５程度のチタン合金（Ｔｉ−６Ａｌ−４Ｖ）で形成することができる。また、チタン合金以外にも、例えばステンレス鋼、マレージング鋼、アルミニウム合金、マグネシウム合金、またはアモルファス合金などの中から１種または２種以上を用いて形成することもできる。このようなゴルフクラブヘッドは、種々の方法で作製することができるが、例えば、公知のロストワックス精密鋳造法などの鋳造によって製造することができる。
【００２６】
また、本実施形態に係るゴルフクラブヘッドでは、重心の位置を、ヘッドのトゥ−ヒール方向の中心からヒール寄りに配置している。
【００２７】
＜２．ゴルフクラブヘッドの組立構造＞
本実施形態に係るゴルフクラブヘッドは、図４に示すように、クラウン部２、ソール部３、及びサイド部４を有するヘッド本体１０と、フェース部１及びその周縁から延びる周縁部１２を有するカップ状に形成されたフェース用部材２０と、を組み立てることで構成される。このヘッド本体１０は、クラウン部２、ソール部３、及びサイド部４で囲まれた開口３０を有し、この開口３０を塞ぐようにフェース用部材２０が取り付けられる。すなわち、フェース用部材２０の周縁部１２の端面が、開口３０の端面と突き合わされ、これらが、溶接によって接合される。そして、フェース用部材２０は、ヘッド本体１０の開口に取付けられることで、ヘッド本体１０と一体化され、これによって、フェース用部材２０の周縁部１２は、クラウン部２、ソール部３、及びサイド部４の一部として機能する。したがって、フェース用部材２０の周縁部１２がヘッド本体１０に取付けられることで一体的に形成される面が、クラウン部２、ソール部３、及びサイド部４を構成する。そのため、厳密には、ヘッド本体１０の各部は、これらの一部ではあるが、以下では、これを区別することなく、ヘッド本体１０の各部も、クラウン部２、ソール部３、及びサイド部４と称することがある。
【００２８】
＜３．クラウン部の構造＞
続いて、図５も参照しつつ、クラウン部２について説明する。図５は、ゴルフクラブヘッドの平面図であるが、特に、クラウン部２において肉厚の相違する領域（後述する薄肉領域）を破線にて明示している。図４に示すように、クラウン部２は、肉厚の大きい厚肉領域７と、肉厚の小さい複数（本実施形態では３つ）の薄肉領域６１〜６３とで構成されている。各薄肉領域６１〜６３は、クラウン部２の内壁面（内部空間側の面）に凹部を形成することで肉厚を小さくしている。以下では、トゥ側からヒール側に並ぶ３つの薄肉領域を、第１薄肉領域６１、第２薄肉領域６２、及び第３薄肉領域６３と称することとする。以下、詳細に説明する。
【００２９】
第１薄肉領域６１は、矩形状に形成されており、トゥ−ヒール方向にフェース用部材２０のフェース部１と周縁部１２との境界１５（以下、単に境界ということがある）とほぼ平行に延びる第１辺６１１、トゥ側に向く第２辺６１２、バック側でクラウン部２とサイド部４との境界に沿って延びる第３辺６１３、及びヒール側に向く第４辺６１４を備えている。換言すると、第１薄肉領域６１は、第４辺６１４が第２辺６１２よりも長い台形状に形成されている。また、第１辺６１１は、上記境界１５からバック側へ長さＬ１をおいて形成されている。以下では、厚肉領域７のうち、境界１５と各薄肉領域６１〜６３との間に形成される部分を、フェース側厚肉部７１と称することとする。
【００３０】
また、第１薄肉領域６１の第２辺６１２は、バック側へ向かってトゥ側へ斜め方向に延びるように形成されている。すなわち、第１辺６１１と第２辺６１２との交点は、クラウン部２のトゥ側の端縁から所定距離をおいた位置に形成され、バック側にいくにしたがってクラウン部２のトゥ側の端縁に近づくようになっている。これにより、厚肉領域７のうち、第１薄肉領域６１よりもトゥ側に配置される部分は、平面視で三角形状に形成されている。以下、これをトゥ側厚肉部７２と称することとする。
【００３１】
第１薄肉領域６１の第３辺６１３は、第２辺６１２のバック側の端部から、クラウン部２とサイド部４との境界に沿って円弧状に延びている。そして、第４辺６１４は、第３辺６１３と第１辺６１１とを結ぶように、直線状に形成されている。すなわち、第４辺６１４は、第３辺６１３との交点から、フェース側にいくにしたがってヒール側に近づくように傾斜している。但し、第１薄肉領域６１の周縁を構成するこれらの辺は６１１〜６１４は、曲線状に湾曲していてもよい。なお、この点は、以下に説明する第２及び第３薄肉領域６２，６３の各辺についても同様である。
【００３２】
次に、第２薄肉領域６２について説明する。第２薄肉領域６２も概ね４辺から成る矩形状（または扇形状）に形成されており、境界１５とほぼ平行に延びる第１辺６２１、第１薄肉領域６１の第４辺６１４と平行に延びる第２辺６２２、バック側でクラウン部２とサイド部４との境界に沿って延びる第３辺６２３、及びヒール側に向く第４辺６２４を備えている。第１辺６２１は、第１薄肉領域６１の第１辺６１１よりも短く形成されており、上記境界１５からバック側へ、長さＬ１よりも長い、長さＬ２をおいて形成されている。第２辺６２２は、第１薄肉領域６１の第４辺６１４と平行に延びており、両者の間には、厚肉領域が形成されている。この厚肉領域を、第１隙間厚肉部７３と称することとする。
【００３３】
第２薄肉領域６２の第３辺６２３は、第２辺６２２のバック側の端部から、クラウン部２とサイド部４との境界に沿って円弧状に延びている。この第３辺６２３は、概ねクラウン部２のトゥ−ヒール方向の中央付近を通過し、その中央付近からトゥ側及びヒール側に概ね均等に延びるように形成されている。そして、第４辺６２４は、第３辺６２３と第１辺６２１とを結ぶように、直線状に形成されている。すなわち、第４辺６２４は、第３辺６２３との交点から、フェース側にいくにしたがってトゥ側に近づくように傾斜している。
【００３４】
次に、第３薄肉領域６３について説明する。第３薄肉領域６３も概ね矩形状に形成されており、境界と１５ほぼ平行に延びる第１辺６３１、第２薄肉領域６２の第４辺６２４と平行に延びる第２辺６３２、バック側でクラウン部２とサイド部４との境界に沿って延びる第３辺６３３、及びヒール側に向く第４辺を６３４備えている。換言すると、第３薄肉領域６３は、第２辺６３２が第４辺６３４よりも長い台形状に形成されている。また、第１辺６３１は、第１薄肉領域６１の第１辺６１１と概ね同じ長さに形成されており、上記境界１５からバック側へ、長さＬ２よりも長い、長さＬ３をおいて形成されている。第２辺６３２は、第２薄肉領域６２の第４辺６２４と平行に延びており、両者の間には、厚肉領域が形成されている。この厚肉領域を、第２隙間厚肉部７４と称することとする。なお、第１隙間厚肉部７３の中心を通る仮想線と、第２隙間厚肉部７４の中心を通る仮想線と、の交点Ｓは、フェース側厚肉部７１において交差している。
【００３５】
第３薄肉領域６３の第３辺６３３は、第２辺６３２のバック側の端部から、クラウン部２とサイド部４との境界に沿って円弧状に延びている。そして、第４辺６３４は、第３辺６３３と第１辺６３１とを結ぶように、直線状に形成されている。より詳細に説明すると、第１辺６３１と第４辺６３４との交点は、クラウン部２のヒール側の端縁から所定距離をおいた位置に形成され、バック側にいくにしたがってクラウン部２のヒール側の端縁に近づくようになっている。これにより、厚肉領域のうち、第３薄肉領域６３よりもヒール側に配置される部分は、平面視で三角形状に形成されている。以下、これをヒール側厚肉部７５と称することとする。
【００３６】
また、各薄肉領域６１〜６３の第３辺６１３，６２３，６３３と、クラウン部２とサイド部４との境界との間には、幅の狭い厚肉領域が形成されている。以下、これを周縁厚肉部７６と称することとする。
【００３７】
以上のように、上記各薄肉領域６１〜６３は、フェース用部材２０の周縁部２１とクラウン部２との境界１５から離れて形成されているが、その距離は第１薄肉領域６１が最も短く、第３薄肉領域６３が最も長くなっている。例えば、第１薄肉領域６１の第１辺６１１と境界１５との間の長さＬ１は、５〜２５ｍｍであることが好ましい。また、第３薄肉領域６３の第１辺６３１と境界１５との間の長さＬ３は、２０〜４０ｍｍであることが好ましい。そして、長さＬ２は、長さＬ１よりも長く、長さＬ３よりも短くすることができる。
【００３８】
また、第１及び第２隙間厚肉部７３，７４の幅は、例えば、５〜１５ｍｍとすることができる。さらに、周縁厚肉部７６の幅は、例えば、２〜２０ｍｍとすることができる。
【００３９】
クラウン部２において、厚肉領域７の肉厚は、例えば、０．５〜０．８ｍｍとすることができ、各薄肉領域６１〜６３の肉厚は、０．３〜０．６ｍｍとすることができる。なお、各薄肉領域６１〜６３と厚肉領域７との間には段差を形成することができるが、このほか、各薄肉領域６１〜６３の周縁に、肉厚が変化する移行部を設けることもできる。すなわち、薄肉領域６１〜６３から厚肉領域７に向かって肉厚が徐々に厚くなるようにすることができる。このような移行部の幅は、例えば、０．５〜１０ｍｍとすることができる。図５においては、例として、各薄肉領域６１〜６３を二重の破線で示しているが、内側の破線と外側の破線との間を移行部とすることができる。すなわち、内側の破線から外側の破線へと肉厚が大きくなるようにすることができる。
【００４０】
また、図５に示すヘッドの平面視において、すべての薄肉領域６１〜６３の投影面積Ｓ１が、クラウン部２の投影面積とホーゼル部５の投影面積との合計である面積Ｓ２に占める割合Ｒ（＝Ｓ１／Ｓ２）が、２５〜７０％であるのが好ましい。この割合Ｒが２５％より小さくなると、他の部位（例えば、ソール部３など）に移行すべき余剰重量を創出することが難しくなる。そのため、割合Ｒは、３０％以上がより好ましく、４０％以上が特に好ましい。一方、割合Ｒが７０％より大きくなると、鋳造性が低下してしまう。そのため、割合Ｒは、６５％以下がより好ましく、６０％以下が特に好ましい。例えば、ドライバーの場合、上記面積Ｓ２は、８０〜１２０ｃｍ2程度となる。
【００４１】
＜４．製造方法＞
上記のように構成されたゴルフクラブヘッドは、種々の方法で作製することができるが、例えば、次のように製造することができる。まず、ヘッド本体１０は、例えば、公知のロストワックス精密鋳造法などの鋳造によって製造することができる。一方、フェース用部材２０は、プレス加工により、製造することができる。そして、ヘッド本体１０と、フェース用部材２０とは、例えば、溶接により接合される。その後、塗装などを行うことで、ゴルフクラブヘッドが完成する。
【００４２】
＜５．特徴＞
以上の実施形態によれば、次の効果を得ることができる。
（１）フェース用部材２０のフェース部１と周縁部１２との境界１５と各薄肉領域６１〜６３との距離が、ヒール側にいくにしたがって長くなるように形成されている。すなわち、境界１５と各薄肉領域６１〜６３との間のフェース側厚肉部７１の、フェース−バック方向の長さが、ヒール側にいくにしたがって長くなるように形成されている。これにより、本実施形態に係るクラウン部２では、境界１５からバック側へ向かう所定の長さの範囲（例えば、５〜２５ｍｍの反発（変形）に寄与する範囲であり、１０〜２０ｍｍの範囲がさらに寄与する）において、肉厚の平均がヒール側からトゥ側にいくにしたがって小さくなっている。その結果、重心が位置するヒール側での反発性能が向上するのを抑制できるため、ルールを遵守することができる。一方、重心から離れた箇所では一般的に反発性能が低下するところ、本実施形態においては、重心から離れたトゥ側にいくにしたがって肉厚の平均が小さくなっているため、トゥ側での反発性能を向上することができる。よって、トゥ側からヒール側に亘る、フェース部全体として、反発性能を向上することができる。
【００４３】
（２）隣接する薄肉領域６１〜６３の間に、フェース−バック方向に延びる第１及び第２隙間厚肉部７３、７４を形成しているため、薄肉領域６１〜６３によるある程度の剛性を付与することができ、これによって反発性能の低下を防止することができる。また、隙間厚肉部７３，７４を形成することで、鋳造を行う際に、溶融金属の流路が大きくなるため、溶融金属を流し込みやすくすることができる。
【００４４】
（３）３つの薄肉領域６１〜６３を形成することで、それにより除去された重量をソール部３などに移すことができ、これによってヘッドの重心を下げることができる。
【００４５】
（４）第１薄肉領域６１のトゥ側及び第３薄肉領域６３のヒール側に、それぞれ、トゥ側厚肉部７２及びヒール側厚肉部７５を形成している。これらの領域は、鋳造を行う際の湯口が配置されるため、成形後に研磨が行われる。また、溶接が行われるフェース用部材の周縁部に近接している。したがって、この領域は、研磨などによって意図せず肉厚が小さくなることがあり、これによって割れが生じるおそれがある。そのため、これらの領域の肉厚を大きくすることで、割れを防止することができる。また、これらの厚肉部７２，７５は、バック側にいくにしたがってトゥ−ヒール方向の幅が小さくなっている。すなわち、強度が必要なフェース側では幅を大きくし、強度があまり要求されないバック側で幅が小さくなっており、これによって、バック側での薄肉領域の面積を大きくすることができる。その結果、その肉厚をソール側に移すことができる。
【００４６】
＜６．変形例＞
以上、本発明の一実施形態について説明したが、本発明は上記実施形態に限定されるものではなく、その趣旨を逸脱しない限りにおいて、種々の変更が可能である。なお、以下の変形例は適宜、組み合わせることができる。
【００４７】
（１）上記実施形態では、薄肉領域６１〜６３の数を３つにしているが、これに限定されず、２つ以下、または４以上にすることもできる。薄肉領域６１〜６３を複数に分割する場合、その間の隙間厚肉部７３、７４の形状は特には限定されない。また、薄肉領域６１〜６３の形状も特には限定されず、少なくとも、境界１５との距離がトゥ側にいくにしたがって短くなるように形成されていればよい。この観点からは、各薄肉領域６１〜６３を次のように形成することもできる。例えば、図６に示すように、境界１５に沿って延び、ヒール側にいくにしたがって境界１５との間の長さが長くなるような仮想線Ｋを形成する。そして、各薄肉領域６１〜６３の第１辺６１１，６２１，６３１が、この仮想線Ｋ上に配置されるように形成する。これによっても、上記実施形態と同様の効果を得ることができる。なお、仮想線Ｋは曲線であってもよい。
【００４８】
また、各薄肉領域６１〜６３の第１辺６１１，６２１，６３１を、境界１５と平行な平行線と、図６のような仮想線Ｋとを組み合わせたものとしたり、複数の段を有したり、あるいは曲線を有するなど、種々の形状にすることができる。すなわち、薄肉領域６１〜６３と境界１５との距離が、全体として、トゥ側にいくにしたがって短くなるように形成されていればよい。
【００４９】
（２）各薄肉領域６１〜６３のバック側は、必ずしもクラウン部２のバック側の周縁（サイド部４との境界）に近接していなくてもよく、またその形状も特には限定されない。また、トゥ側厚肉部７２及びヒール側厚肉部７５の形状も三角形状でなくてもよく、あるいは、必ずしも設けなくてもよい。
【００５０】
（３）フェース用部材２０とクラウン部２の境界１５から、各薄肉領域６１〜６３の第１辺６１１，６２１，６３１までの領域、つまりフェース側厚肉部７１の肉厚分布は特には限定されない。例えば、境界１５から各薄肉領域６１〜６３に至るまで、肉厚を一定にしてもよいし、バック側にいくにしたがって肉厚が小さくなるようにすることもできる。
【００５１】
（４）上記実施形態では、トゥ側からヒール側に向かって、境界１５と各薄肉領域６１〜６３との距離が長くなるように形成されているが、これを反対にしてもよい。例えば、図７に示すように、トゥ側からヒール側に向かって、境界１５と各薄肉領域６１〜６３との距離が短くなるように形成してもよい。これにより、重心をトゥ側に配置した場合、重心が位置するトゥ側での反発性能の向上を抑制できるため、ルールを遵守することができる。一方、重心から離れたヒール側にいくにしたがって肉厚の平均が小さくなっているため、ヒール側での反発性能を向上することができる。よって、トゥ側からヒール側に亘る、フェース部全体として、反発性能を向上することができる。
【００５２】
（５）上記実施形態に係るゴルフクラブの態様は、一例であり、クラウン部２が上記のように構成されていれば、他の構成は特には限定されない。例えば、上記ゴルフクラブでは、ヘッド本体１０の開口に対し、カップ状のフェース用部材２０を接合しているが、板状のフェース部をヘッド本体の開口に嵌め込むことで、ゴルフクラブヘッドを構成することもできる。また、クラウン部２に開口を形成し、これにプレートで閉鎖するようにしてもよい。
【００５３】
（６）本発明は、ドライバー、フェアウェイウッド、ユーティリティといったゴルフクラブヘッドに適用することができる。
【００５４】
Ｂ．第２実施形態
以下、本発明に係るゴルフクラブヘッドの第２実施形態について、図面を参照しつつ説明する。
【００５５】
＜１．クラウン部の構成＞
第２実施形態が第１実施形態と相違するのは、クラウン部の構成であり、その他の構成は同じであるため、相違部分のみ説明する。したがって、対応する構成には、同一の名称を用いて説明したり、同一の符号を付することとする。
【００５６】
図８に示すように、第２実施形態では、第１実施形態と同様に、厚肉領域７と３つの薄肉領域６１〜６３を有しているが、次の点で相違する。まず、各薄肉領域６１〜６３の第１辺６１１，６２１，６３１は、フェース用部材２０とクラウン部２との境界１５と平行に延びているが、その距離Ｌ４（例えば、５〜４０ｍｍ）は同じになっている。次に、各薄肉領域６１〜６３の肉厚が相違しており、第１薄肉領域６１、第２薄肉領域６２、第３薄肉領域６３の順に、肉厚が厚くなっている。但し、最も肉厚の大きい第３薄肉領域６３であっても、厚肉領域７よりは肉厚が小さくなっている。
【００５７】
第１薄肉領域６１の肉厚は、例えば、０．３〜０．６ｍｍとすることができ、第２薄肉領域６２の肉厚は、例えば、０．３５〜０．６ｍｍとすることができ、第３薄肉領域６３の肉厚は、例えば、０．４〜０．８ｍｍとすることができる。
【００５８】
＜２．特徴＞
以上の構成によれば、３つの薄肉領域６１〜６３の肉厚が相違し、ヒール側に配置されている第３薄肉領域６３の肉厚が最も大きくなるように形成されている。そのため、ヒール側の反発性能を低くし、トゥ側の反発性能を高くすることができる。その結果、第１実施形態と同様に、境界１５からバック側へ向かう所定の長さの範囲（例えば、５〜２５ｍｍの反発（変形）に寄与する範囲であり、１０〜２０ｍｍの範囲がさらに寄与する）において、肉厚の平均がヒール側からトゥ側にいくにしたがって小さくなっている。その結果、重心が位置するヒール側での反発性能が向上するのを抑制することができるため、ルールを遵守することができる。一方、重心から離れたトゥ側にいくにしたがって肉厚の平均が小さくなっているため、トゥ側の反発性能を高くすることができる。よって、トゥ側からヒール側に亘る、フェース部全体として、反発性能を向上することができる。
【００５９】
＜３．変形例＞
（１）上記実施形態では、薄肉領域６１〜６３の数を３つにしているが、これに限定されず、２つ以下、または４以上にすることもできる。薄肉領域６１〜６３を複数に分割する場合、その間の隙間厚肉部７３、７４の形状は特には限定されない。また、薄肉領域６１〜６３の形状も特には限定されず、ヒール側に配置されている薄肉領域の肉厚が大きくなっていればよい。また、各薄肉領域６１〜６３内の肉厚を一定にする以外に、各薄肉領域６１〜６３内で肉厚を変化させてもよい。すなわち、各薄肉領域６１〜６３内で、ヒール側にいくにしたがって、肉厚が大きくなるようにしてもよい。例えば、薄肉領域６１〜６３を１つだけ形成し、ヒール側にいくにしたがって、肉厚が大きくなるようにしてもよい。また、肉厚が一定の薄肉領域と、肉厚が変化する薄肉領域を混在させることもできる。
【００６０】
（２）上記第２実施形態では、トゥ側からヒール側に向かって、各薄肉領域６１〜６３の肉厚が大きくなるように形成されているが、これを反対にしてもよい。すなわち、第１薄肉領域６１の肉厚を最も大きく、第３薄肉領域６３の肉厚を最も小さくすることができる。これにより、
【００６１】
（３）上述した第１実施形態の変形例で示した（３）〜（６）は、第２実施形態でも同様に適用することができる。また、第１実施形態と第２実施形態の構成を混在させることもできる。すなわち、トゥ側からヒール側に向かって、境界１５と各薄肉領域６１〜６３との距離が変化するようにし、且つトゥ側からヒール側に向かって、各薄肉領域の６１〜６３肉厚が変化するように形成してもよい。
【符号の説明】
【００６２】
１  フェース部
２  クラウン部
５  サイド部
６１  第１薄肉領域
６２  第２薄肉領域
６３  第３薄肉領域
７    厚肉領域
【図１】
0006753060.tif 000002
【図２】
0006753060.tif 000003
【図３】
0006753060.tif 000004
【図４】
0006753060.tif 000005
【図５】
0006753060.tif 000006
【図６】
0006753060.tif 000007
【図７】
0006753060.tif 000008
【図８】
0006753060.tif 000009